(57)【要約】【課題】不正行為を低減できる遊技機用基板収容ケースを用いた遊技機を提供する。【解決手段】封止部材１４０は、ケース上７１とケース下７２とを合わせた状態での所定箇所に連通形成された有底係止穴１５１を有する被封止部１５０と、有底係止穴１５１に挿入されて係止されるかしめピン１６０と、このかしめピン１６０の頭部１６２と被封止部１５０との間に所定の間隙が形成された間隙部２００と、有底係止穴１５１にかしめピン１６０を挿入して係止させた状態にてかしめピン１６０の頭部１６２の箇所に充填して間隙部２００にも回り込むようにした状態で硬化させた硬化樹脂１７０とを備えているので、ケース上７１またはケース下７２とかしめピン１６０とを硬化樹脂１７０で接着でき、かしめピン１６０の頭部１６２の裏側（奥側）つまり間隙部２００に回り込んだ硬化樹脂１７０は除去困難であり、かしめピン１６０を取り外すことが困難である。【選択図】図１８
2020054893.tif 000002
【特許請求の範囲】
【請求項１】
遊技機についての所定の遊技に関する制御を司る制御基板を内部に収容する遊技機用基板収容ケースを備えた遊技機において、
前記遊技機用基板収容ケースは、第１ケース体と、前記第１ケース体と合わされる第２ケース体とを備え、
前記遊技機用基板収容ケースは、その所定箇所に、前記制御基板が取り付けられた前記第１ケース体でのその制御基板取付面側に前記第２ケース体を合わせた状態で前記第１ケース体および前記第２ケース体を封止して当該遊技機用基板収容ケースを開封不可とする封止手段を備え、
前記封止手段は、
前記第１ケース体と前記第２ケース体とを合わせた状態での所定箇所に連通形成された係止穴を有する被封止部と、
前記被封止部の前記係止穴に挿入されて係止される挿入係止部と当該挿入係止部の挿入後端側に位置する頭部とを有する係止部材と、を備え、
前記第１ケース体において、前記頭部よりも径が大きい挿入孔と、前記第２ケース体と対向する側の底面部から前記挿入孔側に延びるように形成された前記頭部よりも径が小さい挿入貫通孔と、を備え、
前記係止穴は、前記挿入孔と、前記挿入貫通孔と、前記挿入貫通孔よりも径が小さく、前記第２ケース体に形成された貫通孔と、を備え、
前記封止手段は、
前記係止穴に前記係止部材を挿入して係止させた状態において、前記頭部から前記底面部側にかけて間隙部を設けており、前記頭部を囲むように充填した状態で硬化させた硬化樹脂を備えた
ことを特徴とする遊技機。
【発明の詳細な説明】
【技術分野】
【０００１】
この発明は、パチンコ機、スロットマシン等の遊技機に関する。
【背景技術】
【０００２】
従来、遊技機の代表例として例えばパチンコ機がある。
【０００３】
また、パチンコ機は、その裏面側に、遊技を制御する制御基板を収容した基板ケースを備えている（例えば、特許文献１参照）。
【先行技術文献】
【特許文献】
【０００４】
【特許文献１】特開２００５−１５２２９７号公報
【発明の概要】
【発明が解決しようとする課題】
【０００５】
しかしながら、このような構成を有する従来例の場合には、次のような問題がある。
すなわち、従来のパチンコ機では、不正に開封されて不正行為が行われることがあるという問題がある。
【０００６】
本発明は、このような事情に鑑みてなされたものであって、不正行為を低減できる遊技機を提供することを目的とする。
【課題を解決するための手段】
【０００７】
この発明は、このような目的を達成するために、次のような構成をとる。
すなわち、請求項１に記載の発明は、
遊技機についての所定の遊技に関する制御を司る制御基板を内部に収容する遊技機用基板収容ケースを備えた遊技機において、
前記遊技機用基板収容ケースは、第１ケース体と、前記第１ケース体と合わされる第２ケース体とを備え、
前記遊技機用基板収容ケースは、その所定箇所に、前記制御基板が取り付けられた前記第１ケース体でのその制御基板取付面側に前記第２ケース体を合わせた状態で前記第１ケース体および前記第２ケース体を封止して当該遊技機用基板収容ケースを開封不可とする封止手段を備え、
前記封止手段は、
前記第１ケース体と前記第２ケース体とを合わせた状態での所定箇所に連通形成された係止穴を有する被封止部と、
前記被封止部の前記係止穴に挿入されて係止される挿入係止部と当該挿入係止部の挿入後端側に位置する頭部とを有する係止部材と、を備え、
前記第１ケース体において、前記頭部よりも径が大きい挿入孔と、前記第２ケース体と対向する側の底面部から前記挿入孔側に延びるように形成された前記頭部よりも径が小さい挿入貫通孔と、を備え、
前記係止穴は、前記挿入孔と、前記挿入貫通孔と、前記挿入貫通孔よりも径が小さく、前記第２ケース体に形成された貫通孔と、を備え、
前記封止手段は、
前記係止穴に前記係止部材を挿入して係止させた状態において、前記頭部から前記底面部側にかけて間隙部を設けており、前記頭部を囲むように充填した状態で硬化させた硬化樹脂を備えた
ことを特徴とするものである。
【０００８】
［作用・効果］請求項１に記載の発明によれば、不正行為を低減できる遊技機を提供することができる。
【発明の効果】
【０００９】
この発明に係る遊技機によれば、不正行為を低減できる遊技機を提供することができる。
【図面の簡単な説明】
【００１０】
【図１】実施例１のスロットマシンの前面扉を閉じた状態の斜視図である。
【図２】実施例１のスロットマシンの正面図である。
【図３】前面扉を取り外した状態でのスロットマシンの内部を示す図である。
【図４】前面扉の裏面図である。
【図５】主制御装置が取り付けられた状態の取付台を示す斜視図である。
【図６】取付台と主制御装置の分解斜視図である。
【図７】主制御装置の正面図である。
【図８】（ａ）〜（ｆ）は、その順にケース下の上面図、左側面図、正面図、右側面図、裏面図、下面図である。
【図９】（ａ）〜（ｆ）は、その順にケース上の上面図、左側面図、正面図、右側面図、裏面図、下面図である。
【図１０】ケース上とケース下の斜視図である。
【図１１】（ａ）〜（ｈ）は、その順にかしめピンの上面図、左側面図、正面図、右側面図、裏面図、下面図、正面右上方から見た斜視図、裏面右上方から見た斜視図である。
【図１２】（ａ）は主制御装置の図７に示したＡ−Ａ線断面図、（ｂ）は主制御装置の図７に示したＢ−Ｂ線断面図である。
【図１３】（ａ）は、図１２（ａ）でのかしめピンの挿入前で且つ硬化前樹脂の充填前の状態を示す断面図、（ｂ）は実施例１の封止部材に間隙部を設けた断面図である。
【図１４】（ａ）〜（ｇ）は、その順に、実施例２のかしめピンの上面図、左側面図、正面図、右側面図、裏面図、下面図、正面右上方から見た斜視図である。
【図１５】（ａ）〜（ｄ）は、その順に、実施例２の被封止部の正面図、右側面、下面図、正面右上方から見た一部斜視図である。
【図１６】（ａ）〜（ｇ）は、その順に、実施例３のかしめピンの上面図、左側面図、正面図、右側面図、裏面図、下面図、正面右上方から見た斜視図である。
【図１７】（ａ）〜（ｄ）は、その順に、実施例３の被封止部の正面図、右側面、下面図、正面右上方から見た一部斜視図である。
【図１８】（ａ）は、実施例３でのかしめピンの挿入係止状態の被封止部の断面図、（ｂ）は、実施例３でのかしめピンを被封止部に挿入する様子を示す斜視図である。
【図１９】（ａ）〜（ｇ）は、その順に、実施例４のかしめピンの上面図、左側面図、正面図、右側面図、裏面図、下面図、正面右上方から見た斜視図である。
【図２０】（ａ）〜（ｄ）は、その順に、実施例４の被封止部の正面図、右側面、下面図、正面右上方から見た一部斜視図である。
【図２１】（ａ）は、実施例４でのかしめピンの挿入係止状態の被封止部の断面図、（ｂ）は、実施例４でのかしめピンを被封止部に挿入する様子を示す斜視図である。
【図２２】（ａ），（ｂ）は、変形例でのかしめピンの挿入係止状態の被封止部の断面図である。
【図２３】変形例でのかしめピンの挿入係止状態の被封止部の断面図である。
【図２４】変形例でのかしめピンの斜視図である。
【発明を実施するための形態】
【００１１】
以下、遊技機の一例としてスロットマシンの各種の実施の形態を、図面に基づいて詳細に説明する。なお、本発明を弾球遊技機の一種であるパチンコ遊技機（以下、単に「パチンコ機」という）、特に、第１種パチンコ遊技機や第３種パチンコ遊技機（権利物とも呼ばれる）、コイン遊技機等の他の遊技機に用いることは、当然に可能である。
【実施例１】
【００１２】
図１は、実施例１のスロットマシン１０の前面扉を閉じた状態の斜視図である。図２は、実施例１のスロットマシン１０の正面図である。図３は、前面扉１２を取り外した状態でのスロットマシン１０の内部を示す図である。図４は、前面扉１２の裏面図である。
【００１３】
本実施例のスロットマシン１０は、図１に示すように、本体１１と、この本体１１の前面側に位置する前面扉１２とを備えている。前面扉１２は、図１，図２に示すように、その左辺を回転軸Ｊ１として、本体１１に回動可能（開閉可能）に取り付けられている。また、スロットマシン１０は、図１，図２に示すように、前面扉１２を閉じた状態で施錠装置２０により前面扉１２と本体１１とを施錠可能となっている。
【００１４】
前面扉１２には、図１，図２に示すように、遊技の進行に伴い点灯したり点滅したりする上部ランプ１３と、遊技の進行に伴い種々の効果音を鳴らしたり遊技者に遊技状態を報知したりするスピーカ１４，１４と、各種表示内容を表示する液晶ディスプレイ１５と、左回胴Ｌと中回胴Ｍと右回胴Ｒ（図３参照）とをそれぞれ透視可能な遊技パネル３０と、略中段付近にて各種ボタン５１，５３〜５６，６１，６３やスタートレバー５２やメダル投入口５７が設けられた操作部５０と、機種名や遊技に関わるキャラクタなどが表示された下段表示部１６と、メダル払出口１７から払い出された遊技用媒体としてのメダルを受けるメダル受け皿１８とが装着されている。
【００１５】
また、スロットマシン１０の内部には、図３に示すように、オンされるとスロットマシン１０の各部に電源を供給する電源スイッチ８１を備えている電源ボックス８５や、溢れるメダルの外部への誘導口８９を有し投入されたメダルを貯留する補助タンク８７とこの補助タンク８７内のメダルを払出用通路９２（図４参照）に通じる開口９３（図４参照）を介してメダル払出口１７へ払い出す払出装置８８とから構成されているホッパ８６や、ＣＰＵを中心とするマイクロコンピュータとして構成されており処理プログラムを記憶するＲＯＭや一時的にデータを記憶するＲＡＭや入出力処理回路がバスによって接続されている主制御装置７０や、ＣＰＵを中心とするマイクロコンピュータとして構成されており主制御装置７０からの出力信号による液晶ディスプレイ１５の表示内容の制御を行う表示用制御装置９４（図４参照）が装着されている。なお、この表示用制御装置９４は、図４に示すように、前面扉１２の裏面側の上部箇所に取り付けられている。
【００１６】
遊技パネル３０は、図１に示すように、左回胴Ｌ、中回胴Ｍ、右回胴Ｒ（図３参照）の停止中または回転中の様子を外部に露出する露出窓３１Ｌ，３１Ｍ，３１Ｒを備え、露出窓３１Ｌの左側に配設された５つのベットランプ３２，３３，３３，３４，３４と、この露出窓３１Ｌ，３１Ｍ，３１Ｒの下側に配設されている、スロットマシン内部に貯留されている枚数を表示するものであるクレジット枚数表示部３５と、ビックボーナス時にあと何回ＪＡＣ（ジャック）インできるかとかＪＡＣゲーム時にあと何回ＪＡＣ図柄成立が残っているかといった回数を表示するものであるゲーム数表示部３６と、有効ライン上に同じ図柄が揃って入賞したときに払い出された枚数を表示するものである払出枚数表示部３７とを備えている。
【００１７】
操作部５０は、図１，図２に示すように、前面扉１２の前面部に設けられたクレジットボタン５１と、スタートレバー５２と、左回胴用ストップボタン５３と、中回胴用ストップボタン５４と、右回胴用ストップボタン５５と、返却ボタン５６と、前面扉１２の水平段部に設けられたメダル投入口５７と、１枚ベットボタン６１と、マックスベットボタン６３とを備えている。
【００１８】
ここで、スロットマシン１０の主制御装置７０およびその取付台１００の構造などについて、図５〜図１３を用いて、もう少し詳細に説明する。
【００１９】
図５は、主制御装置７０が取り付けられた状態の取付台１００を示す斜視図である。図６は取付台１００と主制御装置７０の分解斜視図である。図７は主制御装置７０の正面図である。図８（ａ）〜（ｆ）は、その順にケース下７２の上面図、左側面図、正面図、右側面図、裏面図、下面図である。図９（ａ）〜（ｆ）は、その順にケース上７１の上面図、左側面図、正面図、右側面図、裏面図、下面図である。図１０はケース上７１とケース下７２の斜視図である。図１１（ａ）〜（ｈ）は、その順にかしめピン１６０の上面図、左側面図、正面図、右側面図、裏面図、下面図、正面右上方から見た斜視図、裏面右上方から見た斜視図である。図１２（ａ）は主制御装置７０の図７に示したＡ−Ａ線断面図、図１２（ｂ）は主制御装置７０の図７に示したＢ−Ｂ線断面図である。図１３（ａ）は、図１２（ａ）でのかしめピン１６０の挿入前で且つ硬化前樹脂の充填前の状態を示す断面図、図１３（ｂ）は実施例１の封止部材１４０に間隙部を設けた断面図である。
【００２０】
スロットマシン１０は、図３に示すように、その本体１１の内部上方位置に取り付けられた取付台１００に、当該スロットマシン１０の遊技を統括制御する主制御装置７０が取り付けられている。
【００２１】
取付台１００は、図５，図６に示すように、その正面視で横長の長方形状の金属製枠体１１０と、この金属製枠体１１０の下辺側を回動軸として当該金属製枠体１１０に対して回動可能で主制御装置７０が装着される支持枠体１２０とを備えている。この支持枠体１２０は、図６に示すように当該金属製枠体１１０と平行な起立姿勢の状態と、その上辺側が下辺側を回動軸として手前側に前倒し姿勢となった状態（例えば、約６０度前倒しとなった状態）とに回動可能となっている。
【００２２】
具体的には、支持枠体１２０は、図６に示すように、金属製枠体１１０と平行な背面板部１２１と、この背面板部１２１の両側からそれぞれ手前側に突出した左側面部１２２および右側面部１２３と、この左側面部１２２および右側面部１２３の両下端側を結ぶ底面部１２４とを備えており、平面視で有底略コノ字形状に樹脂成型されたものである。
【００２３】
また、金属製枠体１１０は、図６に示すように、その正面視両側に、支持枠体１２０を係止するための係止爪１１１をそれぞれ備えており、前倒し姿勢であった支持枠体１２０を起立姿勢の状態とすることで、支持枠体１２０の両側所定箇所に各係止爪１１１がそれぞれ係止され、支持枠体１２０が起立姿勢状で金属製枠体１１０に保持されるようになっている。
【００２４】
主制御装置７０は、図６に示すように、支持枠体１２０の上部から左側面部１２２および右側面部１２３の間に挿入されて、当該支持枠体１２０に装着されるようになっている。
【００２５】
主制御装置７０は、図６に示すように、スロットマシン１０の遊技を統括制御する主制御基板７３と、この主制御基板７３を内部に収容する基板ケース７４とを備えている。
【００２６】
基板ケース７４は、主制御基板７３が取り付けられるケース上７１と、このケース上７１での主制御基板７３の取付面側に合わされるケース下７２とを備え、ケース上７１とケース下７２とを合わせた状態での内部空間に主制御基板７３を収容するものである。本実施例では、ケース上７１およびケース下７２は、例えば透明樹脂成型品としている。
【００２７】
この実施例では、主制御基板７３は、図６に示すように、ＩＣ（集積回路）や各種スイッチ部品やコネクタなどの電子部品が実装される実装面を、ケース上７１の内側面に対向させた状態で、ネジなどの締結部品でケース上７１の内側面の所定箇所に取り付けられる。そして、主制御基板７３が取り付けられたケース上７１にケース下７２を合わせることから、主制御基板７３の半田面は、ケース下７２の内側面に対向した状態となる。
【００２８】
主制御装置７０は、図６に示すように、スロットマシン１０をリセットするときに操作するリセットスイッチ８２や、図示しない設定キーを挿入することにより、スロットマシン１０の設定状態を変更可能にする設定キースイッチ８３を備えている。具体的には、主制御基板７３は、図６に示すように、右端上部箇所に上から順にリセットスイッチ８２と設定キースイッチ８３とを備えており、ケース上７１の右端上部箇所にそれぞれ設けられた開閉蓋７１ａを開いて、リセットスイッチ８２と設定キースイッチ８３とが操作できるようになっている。
【００２９】
基板ケース７４は、図６に示すように、主制御基板７３が取り付けられたケース上７１でのその主制御基板７３の取付面側にケース下７２を合わせた状態でケース上７１またはケース下７２の少なくとも一方を当該合わせ面所定方向（本実施例では、例えば基板ケース７４の短手方向）にスライド移動させることでケース上７１とケース下７２とを係止するケース係止部１３０を備えている。
【００３０】
ケース係止部１３０は、図６に示すように、ケース上７１の両辺箇所（短手辺の両箇所）に当該辺方向に並設された破線で示す複数個（本実施例では４個）の鉤状突起部１３１（図６，図９では見えないため破線で示している）と、ケース下７２の両辺箇所（短手辺の両箇所）に当該辺方向に並設された、鉤状突起部１３１とは逆向きに形成された複数個（本実施例では４個）の逆鉤状突起部１３２とを備えるとともに、図６に示すケース上７１の最上の鉤状突起部１３１がケース下７２の一番上の逆鉤状突起部１３２と２番目の逆鉤状突起部１３２との間に位置させるように当該ケース上７１とケース下７２とを合わせた状態にして、ケース上７１またはケース下７２の少なくとも一方をその短手方向にスライド移動させることで鉤状突起部１３１と逆鉤状突起部１３２とが係止するものである。
【００３１】
また、ケース上７１は、図６，図９（ａ），（ｅ）に示すように、その上面側の所定箇所（例えば３箇所）に嵌合用上部突起７１ｂが形成されている。また、ケース下７２は、図６，図８（ａ）に示すように、その上面側でのケース上７１の嵌合用上部突起７１ｂと対応する３箇所に上部嵌合孔７２ａが形成されている。さらに、ケース上７１は、図９（ｆ）に示すように、その下面側の所定箇所（例えば２箇所）に下部嵌合孔７１ｃが形成されている。また、ケース下７２は、図６，図８（ｃ），（ｅ）に示すように、その下面側でのケース上７１の下部嵌合孔７１ｃと対応する２箇所に嵌合用下部突起７２ｂが形成されている。したがって、基板ケース７４は、図５に示すように、その所定箇所に、主制御基板７３が取り付けられたケース上７１での主制御基板７３の取付面側にケース下７２を合わせた状態とすると、ケース上７１の上面側の３箇所の嵌合用上部突起７１ｂが、ケース下７２の上面側の３箇所に上部嵌合孔７２ａに嵌合するとともに、ケース上７１の下面側の２箇所の下部嵌合孔７１ｃに、ケース下７２の下面側の２箇所の嵌合用下部突起７２ｂが嵌合する。
【００３２】
さらに、ケース上７１は、図９に示すように、その下面側の中央箇所に支持用下部突起７１ｄが形成されている。また、本体１１の取付台１００の支持枠体１２０は、図６に示すように、その下面側でのケース上７１の支持用下部突起７１ｄに対応する箇所に支持用下部嵌合穴１２５が形成されている。また、ケース下７２は、図６に示すように、その上面側の４箇所に支持用上部嵌合孔７２ｃが形成されている。また、本体１１の取付台１００の支持枠体１２０は、図６に示すように、その上面側でのケース下７２の支持用上部嵌合孔７２ｃに対応する箇所に支持用上部突起１２６が形成されている。また、ケース下７２は、図８（ａ），（ｅ）に示すように、その裏面上部中央箇所に係止用突起７２ｄが形成されている。また、本体１１の取付台１００の支持枠体１２０は、図６に示すように、その上部中央箇所に係止用突起７２ｄを係止するための係止用孔１２７が形成されている。したがって、基板ケース７４は、図５に示すように、取付台１００の支持枠体１２０の上部から挿入されて、当該支持枠体１２０に装着された状態とすると、ケース上７１の下面側の中央箇所の支持用下部突起７１ｄが、支持枠体１２０の下面側の支持用下部嵌合穴１２５に嵌合し、ケース下７２の上面側の４箇所の支持用上部嵌合孔７２ｃに、支持枠体１２０の上面側の支持用上部突起１２６が嵌合するとともに、ケース下７２の裏面上部中央箇所の係止用突起７２ｄが、支持枠体１２０の上部中央箇所の係止用孔１２７に係止される。
【００３３】
さらに、基板ケース７４は、図５〜図７に示すように、その所定箇所に、主制御基板７３が取り付けられたケース上７１での主制御基板７３の取付面側にケース下７２を合わせた状態でケース上７１およびケース下７２を封止して当該基板ケース７４を開封不可とする封止部材１４０を備えている。
【００３４】
この封止部材１４０は、図５〜図７に示すように、ケース係止部１３０によって係止状態とされたケース上７１およびケース下７２を開封不可に封止するものである。
【００３５】
また、封止部材１４０は、図５〜図７に示すように、ケース上７１とケース下７２とを合わせた状態での所定箇所に連通形成された有底係止穴１５１を有する被封止部１５０と、この被封止部１５０の有底係止穴１５１に挿入されて係止される挿入係止部１６１と当該挿入係止部１６１の挿入後端側に位置する頭部１６２とを有するかしめピン１６０と、被封止部１５０の有底係止穴１５１にかしめピン１６０を挿入して係止させた状態にて当該被封止部１５０でのかしめピン１６０の頭部１６２の箇所に充填して硬化させた硬化樹脂１７０（図１２参照）と、を備えている。
【００３６】
なお、硬化樹脂１７０としては、例えば、紫外線硬化樹脂を採用しているが、熱硬化性樹脂、紫外線以外の光で硬化する樹脂、例えば常温で所定時間放置することで硬化させる自然硬化樹脂などの各種の硬化樹脂を採用してもよい。
【００３７】
本実施例では、図６に示すように、基板ケース７４の下部両側の２箇所に、被封止部１５０が設けられており、各被封止部１５０にかしめピン１６０が挿入されて係止される。
【００３８】
かしめピン１６０の頭部１６２は、図１１に示すように、硬化樹脂１７０により被封止部１５０に接着された脆弱部１６３を備えている。この脆弱部１６３は、かしめピン１６０の挿入方向とは直交する方向に頭部１６２から複数本（本実施例では６本）延出した６本の延出部１６４である。
【００３９】
被封止部１５０は、図５，図１２に示すように、有底係止穴１５１の入口側周囲箇所に、かしめピン１６０が挿入係止された状態での頭部１６２が位置する窪み空間を有するものであって、その窪み空間内に硬化前樹脂が充填される受容凹部１５２を備えている。
【００４０】
被封止部１５０は、図５〜図１０に示すように、ケース下７２に設けられた突出部７２ｅと、ケース上７１とケース下７２とを合わせた状態とすることでその突出部７２ｅが挿入される、ケース上７１に設けられた収容穴７１ｈを有する収容部７１ｅと、を備えている。
【００４１】
有底係止穴１５１は、図１３に示すように、突出部７２ｅにその突出方向と直交する方向に貫通形成された貫通孔７２ｆと、突出部７２ｅが収容部７１ｅの収容穴７１ｈに挿入された状態で貫通孔７２ｆの一方の開口側に当該収容部７１ｅに連通形成された挿入穴部７１ｆと、貫通孔７２ｆの他方の開口側に当該収容部７１ｅに連通形成された挿入貫通孔７１ｇとで構成されている。
【００４２】
また、封止部材１４０は、図６，図７および図１２に示すように、ケース上７１およびケース下７２のスライド移動を抑止するように固定するものであり、さらに、ケース上７１およびケース下７２のスライド移動不可状態を解除するべく破壊される、ケース上７１およびケース下７２の所定箇所に形成された固定解除用被破壊部１８０（図８，図９参照）を備えている。
【００４３】
固定解除用被破壊部１８０は、図８（ｃ）に示すようにケース下７２と被封止部１５０とを結ぶ２箇所の連結部１８１と、図９（ｃ）に示すようにケース上７１と被封止部１５０とを結ぶ４箇所の連結部１８１としている。
【００４４】
さらに、基板ケース７４は、図６に示すように、主制御基板７３が取り付けられたケース上７１での主制御基板７３の取付面側にケース下７２を合わせた状態で、ネジ７５をケース下７２のネジ孔７６に挿入してケース上７１に締結するようになっている。
【００４５】
また、主制御装置７０は、支持枠体１２０に取り付けられた状態で固定するための、封止部材１４０とは別の種類の別封止部材１９０を備えている。この別封止部材１９０は、図６に示すように、基板ケース７４を支持枠体１２０に取り付けた状態での所定箇所に連通形成された別係止穴１９１を有する別被封止部１９２と、この別被封止部１９２の別係止穴１９１に挿入されて係止される二重かしめピン１９３とを備えている。二重かしめピン１９３は、別係止穴１９１に挿入されると当該別係止穴１９１に係止された状態となり、この二重かしめピン１９３を抜くことができないようになっている。したがって、二重かしめピン１９３が別係止穴１９１に挿入されて係止されると、主制御装置７０が指示枠体に固定された状態となり、図６に示すケース上７１の被切断部位を切断して別封止部を分離しない限り、主制御装置７０を支持枠体１２０から抜き出すことができない。
【００４６】
なお、この二重かしめピン１９３に替えて、破断ネジやワンウエイネジを使用するようにして主制御装置７０を支持枠体１２０に固定するようにしてもよい。
【００４７】
なお、上述した主制御基板７３が本発明における制御基板に相当し、上述した基板ケース７４が本発明における遊技機用基板収容ケースに相当し、上述したケース上７１が本発明における第１ケース体に相当し、上述したケース下７２が本発明における第２ケース体に相当し、上述した封止部材１４０が本発明における封止手段に相当し、上述した有底係止穴１５１が本発明における係止穴に相当し、上述したかしめピン１６０が本発明における係止部材に相当し、上述したケース係止部１３０が本発明における係止手段に相当する。
【００４８】
ここで、実施例１の基板ケース７４の封止手順について説明する。
【００４９】
図６に示すように、ケース上７１の内側面の所定箇所に主制御基板７３をネジ留めする。
【００５０】
図６に示すように、ケース上７１の最上の鉤状突起部１３１を、ケース下７２の一番上の逆鉤状突起部１３２と２番目の逆鉤状突起部１３２との間に位置させるようにして、当該ケース上７１とケース下７２とをほぼ合わせた状態にする。
【００５１】
そして、ケース上７１またはケース下７２の少なくとも一方をその短手方向に鉤状突起部１３１の長さ程度にスライド移動させることで、鉤状突起部１３１と逆鉤状突起部１３２とを係止させるとともに、ケース下７２の突出部７２ｅがケース上７１の収容部７１ｅに収容された状態となり、ケース上７１とケース下７２とが完全に合わせた状態となる。また、この状態では、ケース上７１の上面側の３箇所の嵌合用上部突起７１ｂが、ケース下７２の上面側の３箇所に上部嵌合孔７２ａに嵌合するとともに、ケース上７１の下面側の２箇所の下部嵌合孔７１ｃに、ケース下７２の下面側の２箇所の嵌合用下部突起７２ｂが嵌合している。
【００５２】
続いて、図６に示すように、基板ケース７４の下部両側２箇所の被封止部１５０での有底係止穴１５１に、かしめピン１６０がそれぞれ挿入されて係止される。この状態では、封止部材１４０、つまりかしめピン１６０の挿入係止により、ケース上７１およびケース下７２の短手方向へのスライドができない状態に規制されている。
【００５３】
そして、被封止部１５０でのかしめピン１６０の頭部１６２の箇所に硬化前樹脂を充填し、この充填した硬化前樹脂に紫外線を照射して図１２に示すように硬化させる。
【００５４】
続いて、図６に示すように、ネジ７５が、ケース下７２のネジ孔７６に挿入されてケース上７１に締結される。このように、封止部材１４０のみならずこのネジ留めによっても、ケース上７１およびケース下７２をそのスライド移動を抑止するように固定されている。
【００５５】
さらに、このように封止された基板ケース７４、つまり主制御装置７０を、本体１１の内部上方位置に取り付けられた取付台１００に取り付ける。具体的には、取付台１００の金属製枠体１１０に対して支持枠体１２０を前倒し姿勢とした状態で、この支持枠体１２０の上部側から主制御装置７０を挿入して当該支持枠体１２０に装着する。この装着状態では、ケース上７１の下面側の中央箇所の支持用下部突起７１ｄが、支持枠体１２０の下面側の支持用下部嵌合穴１２５に嵌合し、ケース下７２の上面側の４箇所の支持用上部嵌合孔７２ｃに、支持枠体１２０の上面側の支持用上部突起１２６が嵌合するとともに、ケース下７２の裏面上部中央箇所の係止用突起７２ｄが、支持枠体１２０の上部中央箇所の係止用孔１２７に係止された状態となる。
【００５６】
続いて、支持枠体１２０に装着された主制御装置７０の別被封止部１９２の別係止穴１９１に二重かしめピン１９３を挿入することで、この二重かしめピン１９３が支持枠体１２０に係止され、主制御装置７０が支持枠体１２０に固定される。つまり、この固定状態では、図６に示すケース上７１の被切断部位を切断して別封止部を分離しない限り、主制御装置７０を支持枠体１２０から抜き出すことができない。
【００５７】
最後に、このように主制御装置７０が装着固定された支持枠体１２０を、前倒し姿勢状態から起立姿勢状態にすることで、支持枠体１２０が起立姿勢で金属製枠体１１０に係止され、主制御装置７０が図３に示すように本体１１の内部上方位置に最終的に取り付けられた状態となる。
【００５８】
上述したように、本実施例１のスロットマシン１０によれば、遊技機についての所定の遊技に関する制御を司る主制御基板７３を内部に収容する基板ケース７４を備えた遊技機において、基板ケース７４は、ケース上７１と、このケース上７１と合わされるケース下７２とを備え、基板ケース７４は、その所定箇所に、主制御基板７３が取り付けられたケース上７１でのその主制御基板７３の取付面側にケース下７２を合わせた状態でケース上７１およびケース下７２を封止して当該基板ケース７４を開封不可とする封止部材１４０を備え、この封止部材１４０は、ケース上７１とケース下７２とを合わせた状態での所定箇所に連通形成された有底係止穴１５１を有する被封止部１５０と、この被封止部１５０の有底係止穴１５１に挿入されて係止される挿入係止部１６１と当該挿入係止部１６１の挿入後端側に位置する頭部１６２とを有するかしめピン１６０と、被封止部１５０の有底係止穴１５１にかしめピン１６０を挿入して係止させた状態にて当該被封止部１５０でのかしめピン１６０の頭部１６２の箇所に充填して硬化させた硬化樹脂１７０と、を備え、かしめピン１６０の頭部１６２は、硬化樹脂１７０により被封止部１５０に接着された脆弱部１６３を備えている。したがって、例えば、封止部材１４０の硬化樹脂１７０を不正な細状部材を用いて除去しようとすると、硬化樹脂１７０の不正な除去に伴ってかしめピン１６０の頭部１６２の脆弱部１６３が破壊され、その除去した硬化樹脂１７０と一緒に脆弱部１６３が取れてしまうので、この脆弱部１６３が取れたかしめピン１６０を不正に再使用しても、そのかしめピン１６０の頭部１６２の脆弱部１６３の破損を見ることで、基板ケース７４が開封されたことがわかる。その結果、スロットマシン１０に取り付けられた基板ケース７４の開封を低減できるし、いわゆる二個一で基板ケース７４を不正に作ること（二個の基板ケース７４から無傷のケース上７１とケース下７２とを取り出して一個の基盤ケース７４を作ること）を低減できることから、不正行為を低減できるスロットマシン（遊技機）を提供することができる。
【００５９】
また、被封止部１５０は有底係止穴１５１を採用しているので、この被封止部１５０の裏側（つまり、被封止部１５０での有底係止穴１５１の存する側とは反対側）からのアクセスを不可とすることができる。
【００６０】
また、被封止部１５０での有底係止穴１５１の入口側周囲箇所に設けられた受容凹部１５２は、その窪み空間内に、かしめピン１６０が挿入係止された状態での当該かしめピン１６０の頭部１６２を位置させた状態で、その窪み空間に硬化前樹脂が充填されて硬化されるので、受容凹部１５２の窪み空間内に頭部１６２を位置させた状態で硬化樹脂１７０で覆うことができ、窪み空間の硬化樹脂１７０を不正に除去することが困難であり、硬化樹脂１７０を不正な細状部材を用いて除去しようとすると、硬化樹脂１７０の不正な除去に伴ってかしめピン１６０の頭部１６２の脆弱部１６３が破壊され、その除去した硬化樹脂１７０と一緒に脆弱部１６３が取れてしまうので、この脆弱部１６３が取れたかしめピン１６０を不正に再使用しても、そのかしめピン１６０の頭部１６２の脆弱部１６３の破損を見ることで、基板ケース７４が開封されたことがわかる。その結果、不正行為を低減できる遊技機を提供することができる。
【００６１】
また、脆弱部１６３は、かしめピン１６０の挿入方向とは直交する方向に頭部１６２から複数本延出した複数本の延出部１６４としているので、その複数本の延出部１６４の表面積の分だけ、頭部１６２の硬化樹脂１７０への接着面積を拡大することができ、その拡大した分、頭部１６２と硬化樹脂１７０との接着力が向上するので、硬化樹脂１７０を不正な細状部材を用いて除去しようとすると、硬化樹脂１７０の不正な除去に伴ってかしめピン１６０の頭部１６２の複数本の延出部１６４のうちのいずれかの延出部１６４が破壊され、その除去した硬化樹脂１７０と一緒に一部の延出部１６４が取れてしまうことになり、この延出部１６４が取れたかしめピン１６０を不正に再使用しても、そのかしめピン１６０の頭部１６２の延出部１６４の破損を見ることで、基板ケース７４が開封されたことがわかる。
【００６２】
また、被封止部１５０は、ケース下７２に設けられた突出部７２ｅと、ケース上７１に設けられた、ケース上７１とケース下７２とを合わせた状態とすることで突出部７２ｅが挿入される収容部７１ｅと、を備え、有底係止穴１５１は、突出部７２ｅにその突出方向と直交する方向に貫通形成された貫通孔７２ｆと、突出部７２ｅが収容部７１ｅに挿入された状態で貫通孔７２ｆの一方の開口側に当該収容部７１ｅに連通形成された挿入穴部７１ｆと、貫通孔７２ｆの他方の開口側に当該収容部７１ｅに連通形成された挿入貫通孔７１ｇとで構成されている。したがって、封止部材１４０の存する箇所での当該ケース上７１とケース下７２との境界面ＢＬが収容部７１ｅで囲われているので、当該境界面ＢＬに不正な細状部材の挿入を困難とすることができ、当該境界面ＢＬに不正な細状部材を挿入して封止部材１４０の存する箇所でのケース上７１とケース下７２とを引き離すことを困難とすることができる。また、収容部７１ｅ以外でのケース上７１とケース下７２との境目に不正な細状部材を挿入したとしても、突出部７２ｅの突出方向に力がかかるだけで、当該境界面ＢＬを離す方向つまりかしめピン１６０が抜ける方向には力がかからないので、収容部７１ｅ以外でのケース上７１とケース下７２との境目に無理矢理に不正な細状部材を挿入したとしても、封止部材１４０の封止解除できない。その結果、不正開封を低減できる基板ケース７４を用いた遊技機を提供することができる。
【００６３】
また、基板ケース７４のケース係止部１３０は、主制御基板７３が取り付けられたケース上７１でのその主制御基板７３の取付面側にケース下７２を合わせた状態でケース上７１またはケース下７２の少なくとも一方を当該合わせ面所定方向にスライド移動させることで、ケース上７１とケース下７２とを係止する。封止部材１４０は、ケース係止部１３０によって係止状態とされたケース上７１およびケース下７２を開封不可に封止する。したがって、封止部材１４０によってケース上７１およびケース下７２が開封不可に封止されているので、基板ケース７４が不正に開封されることを低減できる。また、この封止状態では、ケース係止部１３０によってケース上７１およびケース下７２がスライド係止されており、ケース上７１およびケース下７２をスライド方向に直交する対向方向に開けることができず、基板ケース７４が不正に開封されることを低減できる。
【００６４】
また、基板ケース７４のケース係止部１３０は、ケース上７１の短手辺の両箇所に当該辺方向に並設された破線で示す４個の鉤状突起部１３１（図６，図９では見えないため破線で示している）と、ケース下７２の短手辺の両箇所に当該辺方向に並設された、鉤状突起部１３１とは逆向きに形成された４個の逆鉤状突起部１３２とを備えるとともに、ケース上７１またはケース下７２の少なくとも一方をスライド移動させることで鉤状突起部１３１と逆鉤状突起部１３２とが係止するので、封止部材１４０によってケース上７１およびケース下７２が開封不可に封止された封止状態では、ケース上７１またはケース下７２の両辺で所定長さに亘って配置された複数個の鉤状突起部１３１および逆鉤状突起部１３２でスライド係止されており、細状の不正具をケース上７１とケース下７２との間に挿し入れるなどしてケース上７１とケース下７２との間に隙間を開けたり、ケース上７１およびケース下７２を開けたりすることを低減でき、基板ケース７４が不正に隙間形成や開封されることを低減できる。
【００６５】
また、封止部材１４０は、ケース上７１およびケース下７２を、そのスライド移動を抑止するように固定する。さらに、この封止部材１４０の固定解除用被破壊部１８０が破壊されると、ケース上７１およびケース下７２のスライド移動不可状態が解除される。したがって、固定解除用被破壊部１８０の破壊痕を見ることで、基板ケース７４が開封されたことがわかる。
【００６６】
なお、基板ケース７４が取付台１００から取り外された単体状態では、図８に示すようにケース下７２の２箇所の固定解除用被破壊部１８０を破断することで、基板ケース７４が開封可能（ケース上７１およびケース下７２のスライド移動が可能）となる。また、基板ケース７４が取付台１００に取り付けられた状態では、図８に示すケース下７２の２箇所の固定解除用被破壊部１８０に直接アクセスすることはできず、図９に示すように手前に位置するケース上７１の上側２箇所の固定解除用被破壊部１８０を破断することで、ようやく、奥側に位置するケース下７２の２箇所の固定解除用被破壊部１８０に直接アクセスして切断することができる。
【００６７】
また、固定解除用被破壊部１８０は、ケース上７１またはケース下７２と封止部材１４０とを結ぶ連結部１８１としているので、連結部１８１を破断することで、ケース上７１とケース下７２との相対的なスライド移動を可能とすることができ、ケース上７１とケース下７２とを開封できる。なお、封止部材１４０がケース上７１またはケース下７２の方に残ったままであるため、当該破断痕によって開封があったことがわかる。
【００６８】
また、図９に示すように、ケース上７１の下側２箇所の連結部１８１は、切断破壊するのではなく、支持部として使用できる。このように、ケース上７１の下側２箇所の連結部１８１を支持部として使用した場合には、ケース上７１の上側２箇所の連結部１８１およびケース下７２の２箇所の連結部１８１が切断されても、封止部材１４０がスロットマシン１０内に落下することを防止できる。
【００６９】
また、図１３（ｂ）に示すように、かしめピン１６０のピン長さを長くすることで、頭部１６２の挿入側面とケース下７２の突出部７２ｅの貫通孔７２ｆの周囲箇所とを所定の間隔を空けた間隙部２００を設けるようにしてもよい。この場合には、封止部材１４０は、被封止部１５０の有底係止穴１５１にかしめピン１６０を挿入して係止させた状態にて当該かしめピン１６０の頭部１６２と被封止部１５０との間に所定の間隙が形成された間隙部２００と、被封止部１５０の有底係止穴１５１にかしめピン１６０を挿入して係止させた状態にて当該被封止部１５０でのかしめピン１６０の頭部１６２の箇所に充填して間隙部２００にも回り込むようにした状態で硬化させた硬化樹脂１７０とを備えているので、被封止部１５０とかしめピン１６０の頭部１６２とを、つまり、ケース上７１およびケース下７２とかしめピン１６０とを硬化樹脂１７０で接着することができる。また、かしめピン１６０の頭部１６２と被封止部１５０との間の間隙部２００にも硬化樹脂１７０が回り込んで接着されているので、例えば、封止部材１４０の硬化樹脂１７０を不正な細状部材を用いて除去しようとしても、かしめピン１６０の頭部１６２の表側（手前側）の硬化樹脂１７０の除去に時間がかかるし、このかしめピン１６０の頭部１６２の裏側（奥側）つまり間隙部２００に回り込んだ硬化樹脂１７０は直接にアクセスできないことからこの硬化樹脂１７０を除去することはさらに困難であり、しかも間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できるスロットマシン（遊技機）を提供することができる。
【００７０】
なお、図１２（ａ）に示すように、かしめピン１６０の頭部１６２と被封止部１５０との間であって当該頭部１６２の一部よりも挿入方向先端側に形成された所定の隙間（間隙部２００に相当する）にも硬化樹脂１７０が回り込んで接着されているので、回り込んだ硬化樹脂１７０は直接にアクセスできないことからこの硬化樹脂１７０を除去することはさらに困難であり、しかも間隙部２００の硬化樹脂１７０でかしめピン１６０と被封止部１５０とが接着された状態を維持しており、かしめピン１６０を取り外すことが困難である。
【実施例２】
【００７１】
次に、実施例２のスロットマシン１０の基板ケース７４について図１４，図１５を用いて説明する。
【００７２】
図１４（ａ）〜（ｇ）は、その順に、実施例２のかしめピン１６０の上面図、左側面図、正面図、右側面図、裏面図、下面図、正面右上方から見た斜視図である。図１５（ａ）〜（ｄ）は、その順に、実施例２の被封止部１５０の正面図、右側面、下面図、正面右上方から見た一部斜視図である。
【００７３】
この実施例２は、前述の実施例１のかしめピン１６０の頭部１６２および有底係止穴１５１の一部が異なっている。具体的には、実施例２のかしめピン１６０は、図１４，図１５に示すように、その頭部１６２から放射状に８本の延出部１６４を備えるとともに、頭部１６２の表面に複数本（本実施例では３本）の溝部１６５が形成されており、これらの８本の延出部１６４が脆弱部１６３である点、実施例２の被封止部１５０の有底係止穴１５１が正面視で円形とし、且つ、その入口近くの内周箇所に内周突起部１５３を備えている点が、前述の実施例１とは異なっている。よって、前述の実施例１と異なる構成について以下に詳細に説明することとし、実施例１と同様の構成についてはここでの説明を省略する。
【００７４】
実施例２のかしめピン１６０は、図１４に示すように、正面視で円形の頭部１６２から放射状に８本の延出部１６４が形成されている。さらに、このかしめピン１６０は、図１４に示すように、その頭部１６２の表面側に例えば３本の平行な直線状に溝部１６５が形成されている。この溝部１６５は、図１４（ａ），（ｆ），（ｇ）に示すように、断面視でＶ字状形状となっている。この実施例２のかしめピン１６０の頭部１６２以外の部分、つまり、挿入係止部１６１は、実施例１のかしめピン１６０と同様の構造となっている。
【００７５】
続いて、実施例２の被封止部１５０は、図１５に示すように、その有底係止穴１５１が正面視で円形となっており、さらに、その入口近くの内周箇所であって、周方向に沿った例えば５箇所に、突き出た５個の内周突起部１５３を備えている。この実施例２では、内周突起部１５３は、かしめピン１６０の頭部１６２の延出部１６４と接触しない程度の突出長さとしている。つまり、内周突起部１５３の先端と延出部１６４の先端とが所定の間隔を空けて位置するようにしている。また、有底係止穴１５１は、前述の実施例１と同様に、その入口側から順に、ケース上７１の挿入貫通孔７１ｇと、ケース下７２の突出部７２ｅの貫通孔７２ｆと、ケース上７１の挿入穴部７１ｆとで構成されており、ケース上７１の挿入貫通孔７１ｇの径がケース下７２の突出部７２ｅの貫通孔７２ｆの径よりも大きくなっているため、各内周突起部１５３の間はケース下７２の一部（突出部７２ｅの貫通孔７２ｆの周囲一部分）が露出した状態となっており、このケース下７２の一部（突出部７２ｅの貫通孔７２ｆの周囲一部分）に後述の硬化樹脂１７０が付着することになる。
【００７６】
なお、内周突起部１５３を内歯車のような突起形状とし、延出部１６４を外歯車のような突起形状とし、かしめピン１６０が有底係止穴１５１に挿入係止された状態で、内歯車状の内周突起部１５３と外歯車状の延出部１６４とがかみあうような形状としてもよい。
【００７７】
図１５に示すように、かしめピン１６０が有底係止穴１５１に挿入係止された状態では、かしめピン１６０の頭部１６２が受容凹部１５２内に位置している。この状態にて、前述の実施例１と同様に、硬化前樹脂を受容凹部１５２に充填し、硬化前樹脂に紫外線を照射して硬化させる。硬化樹脂１７０は、かしめピン１６０の頭部１６２の溝部１６５にも入った状態で硬化しているし、有底係止穴１５１の入口近くの５個の内周突起部１５３での各内周突起部１５３の間や、内周突起部１５３と延出部１６４との間にも入った状態で硬化している。硬化樹脂１７０によって、有底係止穴１５１とかしめピン１６０とが接着される。つまり、ケース上７１とケース下７２とかしめピン１６０とが接着される。
【００７８】
上述したように、本実施例２のスロットマシン１０によれば、被封止部１５０の有底係止穴１５１の内周突起部１５３の表面積の分も、有底係止穴１５１の硬化樹脂１７０への接着面積を拡大することができ、その拡大した分、有底係止穴１５１と硬化樹脂１７０との接着力がさらに向上するし、かしめピン１６０の頭部１６２の溝部１６５の表面積の分も、頭部１６２の硬化樹脂１７０への接着面積を拡大することができ、その拡大した分、頭部１６２と硬化樹脂１７０との接着力がさらに向上するし、その溝部１６５で延出部１６４が破断し易くなっているので、硬化樹脂１７０を不正な細状部材を用いて除去しようとすると、硬化樹脂１７０の不正な除去に伴ってかしめピン１６０の頭部１６２の延出部１６４が切り欠き溝部１６５で破断して、その除去した硬化樹脂１７０と一緒に延出部１６４が取れてしまうので、この延出部１６４が破断したかしめピン１６０を不正に再使用しても、そのかしめピン１６０の頭部１６２の延出部１６４の破断を見ることで、基板ケース７４が開封されたことがわかる。
【００７９】
また、硬化樹脂１７０を不正な細状部材を用いて除去しようとすると、硬化樹脂１７０の不正な除去に伴って有底係止穴１５１の内周突起部１５３が破断して、その除去した硬化樹脂１７０と一緒に内周突起部１５３が取れてしまうので、有底係止穴１５１の内周突起部１５３の破断を見ることで、基板ケース７４が開封されたことがわかる。
【実施例３】
【００８０】
次に、実施例３のスロットマシン１０の基板ケース７４について図１６〜図１８を用いて説明する。
【００８１】
図１６（ａ）〜（ｇ）は、その順に、実施例３のかしめピン１６０の上面図、左側面図、正面図、右側面図、裏面図、下面図、正面右上方から見た斜視図である。図１７（ａ）〜（ｄ）は、その順に、実施例３の被封止部１５０の正面図、右側面、下面図、正面右上方から見た一部斜視図である。図１８（ａ）は、実施例３でのかしめピン１６０の挿入係止状態の被封止部１５０の断面図、図１８（ｂ）は、実施例３でのかしめピン１６０を被封止部１５０に挿入する様子を示す斜視図である。
【００８２】
この実施例３は、前述の実施例１，２のかしめピン１６０の頭部１６２および有底係止穴１５１の一部が異なっている。具体的には、実施例３のかしめピン１６０は、図１６，図１７に示すように、前述の実施例１，２の延出部１６４や実施例２の溝部１６５を有さず、その頭部１６２は、その表側面に、硬化前樹脂が充填される受け皿部１６６を備え、この受け皿部１６６は、かしめピン１６０の挿入方向視した状態で挿入係止部１６１よりも外側の一部箇所に、当該頭部１６２の挿入側面に貫通した流入孔１６７を備えている点、実施例３の被封止部１５０の有底係止穴１５１が前述の実施例２と同様に正面視で円形とし、実施例２の内周突起部１５３を備えていない点が、前述の実施例１，２とは異なっている。なお、実施例１，２と同様の構成についてはここでの説明を省略する。
【００８３】
実施例３のかしめピン１６０は、図１６に示すように、その頭部１６２の表側面に、硬化前樹脂が充填される凹状の受け皿部１６６を備えている。この受け皿部１６６は、図１６（ｃ），（ｅ）に示すように、かしめピン１６０の挿入方向視した状態で挿入係止部１６１よりも外側の一部箇所に、当該頭部１６２の挿入側面に貫通した流入孔１６７を備えている。
【００８４】
図１８（ｂ）に示すように、実施例３のかしめピン１６０を被封止部１５０の有底係止穴１５１に挿入すると、図１７，図１８（ａ）に示すように、かしめピン１６０の挿入係止部１６１が有底係止穴１５１に係止される。具体的には、図１８（ａ）に示すように、かしめピン１６０の挿入係止部１６１が有底係止穴１５１の奥側であるケース上７１の挿入穴部７１ｆに係止される。
【００８５】
図１８（ａ）に示すように、ケース上７１の挿入貫通孔７１ｇは、かしめピン１６０の挿入係止部１６１よりも径が大きくなっており、ケース下７２の突出部７２ｅの貫通孔７２ｆは、挿入貫通孔７１ｇよりも直径が小さくなっている。また  図１８（ａ）に示すように、ケース上７１の挿入穴部７１ｆは、かしめピン１６０の先端側が挿入されており、かしめピン１６０の挿入係止部１６１は、ケース下７２の突出部７２ｅの貫通孔７２ｆでの奥側貫通開口の周囲部位に係止されている。
【００８６】
さらに、図１８（ａ）に示すように、被封止部１５０の有底係止穴１５１にかしめピン１６０を挿入して係止させた状態において、かしめピン１６０の頭部１６２と被封止部１５０との間には、所定の間隙である間隙部２００が形成されている。この実施例３では、ケース上７１の挿入貫通孔７１ｇの径を、かしめピン１６０の挿入係止部１６１よりも大きく、且つ、かしめピン１６０の頭部１６２の径よりも小さくすることで、頭部１６２とケース下７２の貫通孔７２ｆの周囲箇所との間に前記の間隙部２００を形成している。この間隙部２００は、受容凹部１５２の窪み面とかしめピン１６０の頭部１６２の挿入側面との間に空けられた間隙である。
【００８７】
図１８（ａ）に示すように、被封止部１５０の有底係止穴１５１にかしめピン１６０を挿入して係止させた状態において、当該被封止部１５０でのかしめピン１６０の頭部１６２の箇所、つまり、かしめピン１６０の頭部１６２の受け皿部１６６に硬化前樹脂を充填すると、この受け皿部１６６の流入孔１６７を通じて硬化前樹脂が間隙部２００に入り込んでおり、この状態で紫外線を照射することで、間隙部２００にも回り込むようにした状態で硬化樹脂１７０が硬化している。
【００８８】
上述したように、本実施例３のスロットマシン１０によれば、封止部材１４０は、被封止部１５０の有底係止穴１５１にかしめピン１６０を挿入して係止させた状態にて当該かしめピン１６０の頭部１６２と被封止部１５０との間に所定の間隙が形成された間隙部２００と、被封止部１５０の有底係止穴１５１にかしめピン１６０を挿入して係止させた状態にて当該被封止部１５０でのかしめピン１６０の頭部１６２の箇所に充填して間隙部２００にも回り込むようにした状態で硬化させた硬化樹脂１７０とを備えているので、被封止部１５０とかしめピン１６０の頭部１６２とを、つまり、ケース上７１またはケース下７２とかしめピン１６０とを硬化樹脂１７０で接着することができる。また、かしめピン１６０の頭部１６２と被封止部１５０との間の間隙部２００にも硬化樹脂１７０が回り込んで接着されているので、例えば、封止部材１４０の硬化樹脂１７０を不正な細状部材を用いて除去しようとしても、かしめピン１６０の頭部１６２の表側（手前側）の硬化樹脂１７０の除去に時間がかかるし、このかしめピン１６０の頭部１６２の裏側（奥側）つまり間隙部２００に回り込んだ硬化樹脂１７０は直接にアクセスできないことからこの硬化樹脂１７０を除去することはさらに困難であり、しかも間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できるスロットマシン（遊技機）を提供することができる。
【００８９】
また、被封止部１５０での有底係止穴１５１の入口側周囲箇所に設けられた受容凹部１５２は、その窪み空間内に、かしめピン１６０が挿入係止された状態での当該かしめピン１６０の頭部１６２を位置させた状態で、その窪み空間に硬化前樹脂が充填されて硬化されるので、受容凹部１５２の窪み空間内に頭部１６２を位置させた状態で硬化樹脂１７０で覆うことができ、窪み空間の硬化樹脂１７０を不正に除去することが困難である。また、間隙部２００は、受容凹部１５２の窪み面とかしめピン１６０の頭部１６２の挿入側面との間に空けられた所定の間隙であるので、受容凹部１５２の窪み面とかしめピン１６０の頭部１６２の挿入側面との間の間隙部２００にも硬化樹脂１７０が回り込んで接着させることができ、例えば、封止部材１４０の硬化樹脂１７０を不正な細状部材を用いて除去しようとしても、受容凹部１５２におけるかしめピン１６０の頭部１６２の挿入面側（裏側）つまり間隙部２００に回り込んだ硬化樹脂１７０は直接にアクセスできないことからこの硬化樹脂１７０を除去することはさらに困難であり、しかも受容凹部１５２における間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できる遊技機を提供することができる。
【００９０】
かしめピン１６０の頭部１６２は、その表側面に、硬化前樹脂が充填される受け皿部１６６を備えている。この受け皿部１６６は、かしめピン１６０の挿入方向視した状態で挿入係止部１６１よりも外側の一部箇所に、当該頭部１６２の挿入側面に貫通した流入孔１６７を備えている。したがって、被封止部１５０の有底係止穴１５１にかしめピン１６０を挿入して係止させた状態において、このかしめピン１６０の頭部１６２の受け皿部１６６に硬化前樹脂を充填することで、硬化前樹脂が受け皿部１６６の流入孔１６７を通じて頭部１６２の挿入側面の方に流入して間隙部２００に回り込み易くでき、受容凹部１５２の窪み面とかしめピン１６０の頭部１６２の挿入側面との間の間隙部２００にも硬化樹脂１７０が回り込んで接着させることができ、間隙部２００に回り込んだ硬化樹脂１７０は直接にアクセスできないことからこの硬化樹脂１７０を除去することはさらに困難であり、不正行為を低減できる。
【００９１】
また、有底係止穴１５１は、挿入貫通孔７１ｇと突出部７２ｅの貫通孔７２ｆと挿入穴部７１ｆとで構成されている。挿入貫通孔７１ｇは、かしめピン１６０の挿入係止部１６１の存する挿入部分よりも径が大きく、突出部７２ｅの貫通孔７２ｆは、挿入貫通孔７１ｇよりも直径が小さくなっている。したがって、被封止部１５０の有底係止穴１５１にかしめピン１６０を挿入して係止させた状態にてこの被封止部１５０でのかしめピン１６０の頭部１６２に充填した硬化前樹脂は、挿入貫通孔７１ｇとかしめピン１６０との隙間にも流入してケース上７１とケース下７２とかしめピン１６０とに接触した状態とすることができ、挿入貫通孔７１ｇとかしめピン１６０との隙間の硬化前樹脂に紫外光が当たり易く硬化させ易くできる。硬化樹脂１７０はケース上７１とケース下７２とかしめピン１６０との３部材とを接着することができ、有底係止穴１５１の挿入貫通孔７１ｇにまで入り込んだ硬化樹脂１７０を除去することはさらに困難であり、不正行為を低減できる。
【実施例４】
【００９２】
次に、実施例４のスロットマシン１０の基板ケース７４について図１９〜図２１を用いて説明する。
【００９３】
図１９（ａ）〜（ｇ）は、その順に、実施例４のかしめピン１６０の上面図、左側面図、正面図、右側面図、裏面図、下面図、正面右上方から見た斜視図である。図２０（ａ）〜（ｄ）は、その順に、実施例４の被封止部１５０の正面図、右側面、下面図、正面右上方から見た一部斜視図である。図２１（ａ）は、実施例４でのかしめピン１６０の挿入係止状態の被封止部１５０の断面図、図２１（ｂ）は、実施例４でのかしめピン１６０を被封止部１５０に挿入する様子を示す斜視図である。
【００９４】
この実施例４は、前述の実施例１〜３のかしめピン１６０の頭部１６２および有底係止穴１５１の一部が異なっている。具体的には、実施例４のかしめピン１６０は、図１９，図２０に示すように、その頭部１６２の表面側に、前述の実施例３の受け皿部１６６を有さず、頭部１６２の挿入面側と受容凹部１５２の窪み面との間に間隙部２００を有している点、実施例４の被封止部１５０の有底係止穴１５１が前述の実施例２，３と同様に正面視で円形とし、実施例２の内周突起部１５３を備えておらず、受容凹部１５２の奥側がスロープ状となっている点が、前述の実施例１〜３とは異なっている。なお、実施例１〜３と同様の構成についてはここでの説明を省略する。
【００９５】
実施例４の受容凹部１５２は、その開口径がかしめピン１６０の頭部１６２の径よりも十分に大きくなっており、図２０（ｄ）に示すように、かしめピン１６０の頭部１６２と受容凹部１５２との間に硬化前樹脂を充填し易くなっており、図２１（ａ）に示すように、かしめピン１６０の挿入面側に硬化前樹脂が入り込み易くなっている。
【００９６】
図２１（ｂ）に示すように、実施例４のかしめピン１６０を被封止部１５０の有底係止穴１５１に挿入すると、図２０，図２１（ａ）に示すように、かしめピン１６０の挿入係止部１６１が有底係止穴１５１に係止される。具体的には、図２１（ａ）に示すように、かしめピン１６０の挿入係止部１６１が有底係止穴１５１の奥側であるケース上７１の挿入穴部７１ｆに係止される。
【００９７】
図２１（ａ）に示すように、ケース上７１の挿入貫通孔７１ｇは、かしめピン１６０の挿入係止部１６１よりも径が大きくなっており、ケース下７２の突出部７２ｅの貫通孔７２ｆは、挿入貫通孔７１ｇよりも直径が小さくなっている。また  図２１（ａ）に示すように、ケース上７１の挿入穴部７１ｆは、かしめピン１６０の先端側が挿入されており、かしめピン１６０の挿入係止部１６１は、ケース下７２の突出部７２ｅの貫通孔７２ｆでの奥側貫通開口の周囲部位に係止されている。
【００９８】
さらに、図２１（ａ）に示すように、被封止部１５０の有底係止穴１５１にかしめピン１６０を挿入して係止させた状態において、かしめピン１６０の頭部１６２と被封止部１５０との間には、所定の間隙である間隙部２００が形成されている。この実施例４では、ケース上７１の挿入貫通孔７１ｇの径を、かしめピン１６０の頭部１６２の径よりも大きくし、かしめピン１６０のピン長さを長くすることで、かしめピン１６０の頭部１６２の挿入面側とケース下７２の貫通孔７２ｆの周囲箇所との間に前記の間隙部２００を形成している。この間隙部２００は、受容凹部１５２の窪み面とかしめピン１６０の頭部１６２の挿入側面との間に空けられた間隙である。
【００９９】
図２１（ａ）に示すように、被封止部１５０の有底係止穴１５１にかしめピン１６０を挿入して係止させた状態において、当該被封止部１５０でのかしめピン１６０の頭部１６２の箇所、つまり、受容凹部１５２に硬化前樹脂を充填すると、硬化前樹脂が間隙部２００に入り込んでおり、この状態で紫外線を照射することで、間隙部２００にも回り込むようにした状態で硬化樹脂１７０が硬化している。
【０１００】
上述したように、本実施例４のスロットマシン１０によれば、封止部材１４０は、被封止部１５０の有底係止穴１５１にかしめピン１６０を挿入して係止させた状態にて当該かしめピン１６０の頭部１６２と被封止部１５０との間に所定の間隙が形成された間隙部２００と、被封止部１５０の有底係止穴１５１にかしめピン１６０を挿入して係止させた状態にて当該被封止部１５０でのかしめピン１６０の頭部１６２の箇所に充填して間隙部２００にも回り込むようにした状態で硬化させた硬化樹脂１７０とを備えているので、被封止部１５０とかしめピン１６０の頭部１６２とを、つまり、ケース上７１またはケース下７２とかしめピン１６０とを硬化樹脂１７０で接着することができる。また、かしめピン１６０の頭部１６２と被封止部１５０との間の間隙部２００にも硬化樹脂１７０が回り込んで接着されているので、例えば、封止部材１４０の硬化樹脂１７０を不正な細状部材を用いて除去しようとしても、かしめピン１６０の頭部１６２の表側（手前側）の硬化樹脂１７０の除去に時間がかかるし、このかしめピン１６０の頭部１６２の裏側（奥側）つまり間隙部２００に回り込んだ硬化樹脂１７０は直接にアクセスできないことからこの硬化樹脂１７０を除去することはさらに困難であり、しかも間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できるスロットマシン（遊技機）を提供することができる。
【０１０１】
また、被封止部１５０での有底係止穴１５１の入口側周囲箇所に設けられた受容凹部１５２は、その窪み空間内に、かしめピン１６０が挿入係止された状態での当該かしめピン１６０の頭部１６２を位置させた状態で、その窪み空間に硬化前樹脂が充填されて硬化されるので、受容凹部１５２の窪み空間内に頭部１６２を位置させた状態で硬化樹脂１７０で覆うことができ、窪み空間の硬化樹脂１７０を不正に除去することが困難である。また、間隙部２００は、受容凹部１５２の窪み面とかしめピン１６０の頭部１６２の挿入側面との間に空けられた所定の間隙であるので、受容凹部１５２の窪み面とかしめピン１６０の頭部１６２の挿入側面との間の間隙部２００にも硬化樹脂１７０が回り込んで接着させることができ、例えば、封止部材１４０の硬化樹脂１７０を不正な細状部材を用いて除去しようとしても、受容凹部１５２におけるかしめピン１６０の頭部１６２の挿入面側（裏側）つまり間隙部２００に回り込んだ硬化樹脂１７０は直接にアクセスできないことからこの硬化樹脂１７０を除去することはさらに困難であり、しかも受容凹部１５２における間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できる遊技機を提供することができる。
【０１０２】
この発明は、上記実施形態に限られることはなく、同様の効果を奏する別の構成としてもよく、例えば下記のように変形実施することができる。
【０１０３】
＜１＞上述した各実施例では、主制御基板７３の電子部品実装面を、ケース上７１の内側面に対向させた状態で当該ケース上７１の内側面に取り付けているが、主制御基板７３の半田面をケース上７１に対向させて取り付けるようにしてもよい。また、主制御基板７３をケース上７１に取り付けているがケース下７２に取り付けるようにしてもよいし、ケース下７２の内側面に主制御基板７３の電子部品実装面を対向させて取り付けるようにしてもよいし、半田面を対向させて取り付けるようにしてもよい。
【０１０４】
＜２＞図２２（ａ），（ｂ）に示すように、ケース上７１は、封止部材１４０の存する箇所での当該ケース上７１とケース下７２との境界面ＢＬを囲う囲い壁２１０を備えるようにしてもよい。この場合には、ケース上７１の囲い壁２１０によって、封止部材１４０の存する箇所での当該ケース上７１とケース下７２との境界面ＢＬが囲われているので、当該境界面ＢＬに不正な細状部材の挿入を困難とすることができ、当該境界面ＢＬに不正な細状部材を挿入して封止手段の存する箇所でのケース上７１とケース下７２とを引き離すことを困難とすることができる。また、ケース上７１の囲い壁２１０と、この囲い壁２１０を有しない方のケース下７２との境目に不正な細状部材を挿入したとしても、囲い壁２１０を反らす方向に力がかかるだけで、当該境界面ＢＬを離す方向つまりかしめピン１６０が抜ける方向には力がかからないので、囲い壁２１０に沿って無理矢理に不正な細状部材を挿入したとしても、封止部材１４０の封止解除できない。その結果、不正開封を低減できる基板ケース７４を用いた遊技機を提供することができる。また、ケース下７２に囲い壁２１０を設けた場合も同様の効果を有する。
【０１０５】
＜３＞図２３に示すように、有底係止穴１５１は、ケース上７１に形成された、かしめピン１６０の挿入係止部１６１よりも径の大きい貫通孔部２２０と、ケース下７２に形成されて貫通孔部２２０よりも直径が小さく且つ挿入係止部１６１を係止する奥側穴部２２１とを連通形成した二段穴としてもよい。この場合では、被封止部１５０の有底係止穴１５１にかしめピン１６０を挿入して係止させた状態にてこの被封止部１５０の受容凹部１５２に充填した硬化前樹脂は、貫通孔部２２０と挿入係止部１６１との間にも流入してケース上７１とケース下７２とかしめピン１６０とに接触した状態で硬化させることができ、硬化樹脂１７０はケース上７１とケース下７２とかしめピン１６０との３部材とを接着することができ、有底係止穴１５１の貫通孔部２２０にまで入り込んだ硬化樹脂１７０を除去することはさらに困難であり、不正行為を低減できる。
【０１０６】
＜４＞上述した各実施例のケース上７１およびケース下７２は両者を合わせた状態でその少なくとも一方をスライド移動させることで、ケース上７１およびケース下７２が閉塞した状態となる構成を採用しているが、スライド無しの嵌め合わせ構造や、回動軸を軸心として回動式で組み合わせる構成などを採用してもよい。
【０１０７】
＜５＞図２４に示すように、かしめピン１６０の頭部１６２の延出部１６４の基端側に切り欠き溝部１６８を備えるようにしてもよい。また、図２４では、切り欠き溝部１６８を、頭部１６２の挿入面側で延出部１６４の基端側に形成しているが、切り欠き溝部１６８を、頭部１６２の表面側で延出部１６４の基端側に形成してもよい。また、実施例２〜４のかしめピン１６０の頭部１６２の延出部１６４の基端側に切り欠き溝部１６８を備えるようにしてもよい。この場合には、延出部１６４は、その基端側に切り欠き溝部１６８を備えているので、さらに、延出部１６４の切り欠き溝部１６８の表面積の分も、頭部１６２の硬化樹脂１７０への接着面積を拡大することができ、その拡大した分、頭部１６２と硬化樹脂１７０との接着力がさらに向上するし、その切り欠き溝部１６８で延出部１６４が破断し易くなっているので、より破断し易い脆弱部１６３を形成することができるし、硬化樹脂１７０を不正な細状部材を用いて除去しようとすると、硬化樹脂１７０の不正な除去に伴ってかしめピン１６０の頭部１６２の延出部１６４が切り欠き溝部１６８で破断して、その除去した硬化樹脂１７０と一緒に延出部１６４が取れてしまうので、この延出部１６４が破断したかしめピン１６０を不正に再使用しても、そのかしめピン１６０の頭部１６２の延出部１６４の破断を見ることで、基板ケース７４が開封されたことがわかる。
【０１０８】
＜６＞上述した実施例２のかしめピン１６０の頭部１６２の表面側に溝部１６５を設けていた（図１４参照）が、この溝部１６５を設けないようにしてもよい。
【０１０９】
＜７＞上述した各実施例では、固定解除用被破壊部１８０は所定箇所を切断工具で切断破壊されるものとしているが、例えば、固定解除用被破壊部１８０の肉厚を他の箇所と比べて薄くし、かかる固定解除用被破壊部１８０を押下することで破断するものとしてもよい。
【０１１０】
＜８＞上述した各実施例では、主制御基板７３を内部に収容する基板ケース７４を例に挙げて説明しているが、主制御基板７３以外の表示制御基板などの各種の制御基板を内部に収容する基板ケース７４に採用することもできる。
【０１１１】
＜９＞上述した各実施例では、基板ケース７４は、ケース上７１とケース下７２とを合わせた状態でその内部空間に主制御基板７３を収納するものとしているが、例えば、ケース上７１に主制御基板７３を取り付けた後に、ケース上７１の主制御基板７３の取付面側を他の部材で覆い、さらにこの他の部材の少なくとも一部をケース下７２で覆い、ケース上７１およびケース下７２を封止部材１４０で封止して当該基板ケース７４を開封不可とするようにしてもよい。
【０１１２】
＜１０＞上述した各実施例では、係止穴として有底係止穴１５１を採用しているが、底無し係止穴を採用してもよい。
【０１１３】
＜１１＞上述した各実施例では、封止部材１４０は、基板ケース７４の封止（かしめ）に用いているが、封止部材１４０を基板ケース７４と取付台１００との封止（かしめ）に用いてもよいし、種々の部品の封止（かしめ）に用いてもよい。例えば、流通過程や遊技場（ホール）などで不正に交換や不正改造などがされたら困る部品としては、払出装置やスタートレバーやストップスイッチなどが挙げられる。
【０１１４】
＜１２＞上述した実施例では、本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１１５】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０１１６】
なお、本明細書は、次のような遊技機に係る発明も開示している。
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に遊技領域が位置するように取り付けられる遊技盤と、この内枠の正面視での左端側を開閉軸として内枠に対して開閉可能に支持され、遊技領域を視認するための視認窓を有する前面扉とを備えている。
また、パチンコ機は、その裏面側に、遊技を制御する制御基板を収容した基板ケースを備えている。この基板ケースは、その内部に制御基板を被包して収容するためのベース部とカバー部とを備えている。また、この基板ケースには、このケースを封止するための封止機構を備えている。この封止機構は所定箇所を破壊しない限り開封できない構造となっており、その封止機構を破壊してケースを開封した場合には、封止機構の破壊に基づいて開封（正規開封、不正開封の種類を問わず）の有無が確認でき、不正開封防止が図られている（例えば、特開２００５−１５２２９７号公報参照）。
しかしながら、このような構成を有する従来例の場合には、次のような問題がある。
すなわち、従来のパチンコ機では、例えば、封止機構として、ベース部とカバー部とを合わせた状態で所定箇所に形成される単一の有底穴状の係止雌部に係止ピンを挿入することで、当該係止ピンが係止雌部に係止して抜けなくなり、さらにこの係止ピンのピン頭部分を硬化性樹脂で固着させて、基板ケースを封止するものがあるが、このような硬化樹脂を用いた封止機構であっても硬化樹脂が簡単に取り外されてしまうと、不正に開封されて不正行為が行われることがあるという問題がある。
下記（０）に係る発明は、このような事情に鑑みてなされたものであって、不正行為を低減できる遊技機を提供することを目的とする。
【０１１７】
（０）  遊技機についての所定の遊技に関する制御を司る制御基板を内部に収容する遊技機用基板収容ケースを備えた遊技機において、
前記遊技機用基板収容ケースは、第１ケース体と、前記第１ケース体と合わされる第２ケース体とを備え、
前記遊技機用基板収容ケースは、その所定箇所に、前記制御基板が取り付けられた前記第１ケース体でのその制御基板取付面側に前記第２ケース体を合わせた状態で前記第１ケース体および前記第２ケース体を封止して当該遊技機用基板収容ケースを開封不可とする封止手段を備え、
前記封止手段は、
前記第１ケース体と前記第２ケース体とを合わせた状態での所定箇所に連通形成された係止穴を有する被封止部と、
前記被封止部の前記係止穴に挿入されて係止される挿入係止部と当該挿入係止部の挿入後端側に位置する頭部とを有する係止部材と、
前記被封止部の前記係止穴に前記係止部材を挿入して係止させた状態にて当該係止部材の前記頭部と前記被封止部との間であって当該頭部の少なくとも一部よりも挿入方向先端側に所定の間隙が形成された間隙部と、
前記被封止部の前記係止穴に前記係止部材を挿入して係止させた状態にて当該被封止部での前記係止部材の前記頭部の箇所に充填して前記間隙部にも回り込むようにした状態で硬化させた硬化樹脂と
を備えている
ことを特徴とする遊技機。
前記（０）に記載の発明によれば、遊技機用基板収容ケースは、第１ケース体と、この第１ケース体と合わされる第２ケース体とを備え、内部空間内に、遊技機についての所定の遊技に関する制御を司る制御基板を収容するものである。また、この遊技機用基板収容ケースは、その所定箇所に、制御基板が取り付けられた第１ケース体でのその制御基板取付面側に第２ケース体を合わせた状態で第１ケース体および第２ケース体を封止して当該遊技機用基板収容ケースを開封不可とする封止手段を備えている。そして、この封止手段は、第１ケース体と第２ケース体とを合わせた状態での所定箇所に連通形成された係止穴を有する被封止部と、この被封止部の係止穴に挿入されて係止される挿入係止部と当該挿入係止部の挿入後端側に位置する頭部とを有する係止部材と、被封止部の係止穴に係止部材を挿入して係止させた状態にて当該係止部材の頭部と被封止部との間であって当該頭部の少なくとも一部よりも挿入方向先端側に所定の間隙が形成された間隙部と、被封止部の係止穴に係止部材を挿入して係止させた状態にて当該被封止部での係止部材の頭部の箇所に充填して間隙部にも回り込むようにした状態で硬化させた硬化樹脂とを備えている。よって、被封止部と係止部材の頭部とを、つまり、第１ケース体または第２ケース体と係止部材とを硬化樹脂で接着することができる。また、係止部材の頭部と被封止部との間の間隙部にも硬化樹脂が回り込んで接着されているので、例えば、封止手段の硬化樹脂を不正な細状部材を用いて除去しようとしても、係止部材の頭部の表側（手前側）の硬化樹脂の除去に時間がかかるし、この係止部材の頭部の裏側（奥側）つまり間隙部に回り込んだ硬化樹脂は直接にアクセスできないことからこの硬化樹脂を除去することはさらに困難であり、しかも間隙部の硬化樹脂で係止部材と被封止部とが接着された状態を維持しており、係止部材を取り外すことが困難である。したがって、遊技機用基板収容ケースを不正に開封することが困難である。その結果、不正行為を低減できる遊技機を提供することができる。
（１）  前記（０）に記載の遊技機において、
前記被封止部は、前記係止穴の入口側周囲箇所に、前記係止部材が挿入係止された状態での前記頭部が位置する窪み空間を有するものであって、その窪み空間内に硬化前樹脂が充填される受容凹部を備え、
前記間隙部は、前記受容凹部の窪み面と前記係止部材の前記頭部の挿入側面との間に空けられた所定の間隙である
ことを特徴とする遊技機。
【０１１８】
前記（１）に記載の発明によれば、被封止部での係止穴の入口側周囲箇所に設けられた受容凹部は、その窪み空間内に、係止部材が挿入係止された状態での当該係止部材の頭部を位置させた状態で、その窪み空間に硬化前樹脂が充填されて硬化されるので、受容凹部の窪み空間内に頭部を位置させた状態で硬化樹脂で覆うことができ、窪み空間の硬化樹脂を不正に除去することが困難である。また、間隙部は、受容凹部の窪み面と係止部材の頭部の挿入側面との間に空けられた所定の間隙であるので、受容凹部の窪み面と係止部材の頭部の挿入側面との間の間隙部にも硬化樹脂が回り込んで接着させることができ、例えば、封止手段の硬化樹脂を不正な細状部材を用いて除去しようとしても、受容凹部における係止部材の頭部の挿入面側（裏側）つまり間隙部に回り込んだ硬化樹脂は直接にアクセスできないことからこの硬化樹脂を除去することはさらに困難であり、しかも受容凹部における間隙部の硬化樹脂で係止部材と被封止部とが接着された状態を維持しており、係止部材を取り外すことが困難である。したがって、遊技機用基板収容ケースを不正に開封することが困難である。その結果、不正行為を低減できる遊技機を提供することができる。
【０１１９】
（２）  前記（１）に記載の遊技機において、
前記係止部材の前記頭部は、その表側面に、硬化前樹脂が充填される受け皿部を備え、
前記受け皿部は、前記頭部の手前側から当該頭部の挿入方向先端側に貫通した、前記間隙部に繋がる流入孔を備えている
ことを特徴とする遊技機。
【０１２０】
前記（２）に記載の発明によれば、係止部材の頭部は、その表側面に、硬化前樹脂が充填される受け皿部を備えている。この受け皿部は、頭部の手前側から当該頭部の挿入方向先端側に貫通した、間隙部に繋がる流入孔を備えている。したがって、被封止部の係止穴に係止部材を挿入して係止させた状態において、この係止部材の頭部の受け皿部に硬化前樹脂を充填することで、硬化前樹脂が受け皿部の流入孔を通じて頭部の挿入方向先端側に流入して間隙部に回り込み易くでき、受容凹部の窪み面と係止部材の頭部の挿入方向先端側との間の間隙部にも硬化樹脂が回り込んで接着させることができ、間隙部に回り込んだ硬化樹脂は直接にアクセスできないことからこの硬化樹脂を除去することはさらに困難であり、不正行為を低減できる。
【０１２１】
（３）  前記（１）または（２）に記載の遊技機において、
前記係止穴は、前記第１ケース体または前記第２ケース体の一方に形成された、前記挿入係止部よりも径の大きい貫通孔部と、前記第１ケース体または前記第２ケース体の他方に形成されて前記貫通孔部よりも直径が小さく且つ前記挿入係止部を係止する奥側穴部とを連通形成した二段穴である
ことを特徴とする遊技機。
【０１２２】
前記（３）に記載の発明によれば、係止穴は、第１ケース体または第２ケース体の一方に形成された、挿入係止部よりも径の大きい貫通孔部と、第１ケース体または第２ケース体の他方に形成されて貫通孔部よりも直径が小さく且つ挿入係止部を係止する奥側穴部とを連通形成した二段穴であるので、被封止部の係止穴に係止部材を挿入して係止させた状態にてこの被封止部の受容凹部に充填した硬化前樹脂は、貫通孔部と挿入係止部との間にも流入して第１ケース体と第２ケース体と係止部材とに接触した状態で硬化させることができ、硬化樹脂は第１ケース体と第２ケース体と係止部材との３部材とを接着することができ、係止穴の貫通孔部にまで入り込んだ硬化樹脂を除去することはさらに困難であり、不正行為を低減できる。
【０１２３】
（４）  前記（０）から（３）のいずれか一つに記載の遊技機において、
前記係止部材の前記頭部は、前記硬化樹脂により前記被封止部に接着された脆弱部を備えている
ことを特徴とする遊技機。
【０１２４】
前記（４）に記載の発明によれば、係止部材の頭部は、硬化樹脂により被封止部に接着された脆弱部を備えているので、例えば、封止手段の硬化樹脂を不正な細状部材を用いて除去しようとすると、硬化樹脂の不正な除去に伴って係止部材の頭部の脆弱部が破壊され、その除去した硬化樹脂と一緒に脆弱部が取れてしまうので、この脆弱部が取れた係止部材を不正に再使用しても、その係止部材の頭部の脆弱部の破損を見ることで、遊技機用基板収容ケースが開封されたことがわかる。その結果、不正行為を低減できる遊技機を提供することができる。
【０１２５】
（５）  前記（４）に記載の遊技機において、
前記脆弱部は、前記係止部材の挿入方向とは異なる方向に前記頭部から延出した延出部である
ことを特徴とする遊技機。
【０１２６】
前記（５）に記載の発明によれば、脆弱部は、係止部材の挿入方向とは異なる方向に頭部から延出した延出部としているので、その延出部の表面積の分だけ、頭部の硬化樹脂への接着面積を拡大することができ、その拡大した分、頭部と硬化樹脂との接着力が向上するので、硬化樹脂を不正な細状部材を用いて除去しようとすると、硬化樹脂の不正な除去に伴って係止部材の頭部の延出部が破壊され、その除去した硬化樹脂と一緒に延出部が取れてしまうので、この延出部が取れた係止部材を不正に再使用しても、その係止部材の頭部の延出部の破損を見ることで、遊技機用基板収容ケースが開封されたことがわかる。
【０１２７】
（６）  前記（４）に記載の遊技機において、
前記脆弱部は、前記係止部材の挿入方向とは異なる方向に前記頭部から複数本延出した複数本の延出部である
ことを特徴とする遊技機。
【０１２８】
前記（６）に記載の発明によれば、脆弱部は、係止部材の挿入方向とは異なる方向（例えば、直交する方向、斜め方向）に頭部から複数本延出した複数本の延出部としているので、その複数本の延出部の表面積の分だけ、頭部の硬化樹脂への接着面積を拡大することができ、その拡大した分、頭部と硬化樹脂との接着力が向上するので、硬化樹脂を不正な細状部材を用いて除去しようとすると、硬化樹脂の不正な除去に伴って係止部材の頭部の複数本の延出部のうちのいずれかの延出部が破壊され、その除去した硬化樹脂と一緒に一部の延出部が取れてしまうことになり、この延出部が取れた係止部材を不正に再使用しても、その係止部材の頭部の延出部の破損を見ることで、遊技機用基板収容ケースが開封されたことがわかる。
【０１２９】
（７）  前記（５）または（６）に記載の遊技機において、
前記延出部は、その基端側に切り欠き溝部を備えている
ことを特徴とする遊技機。
【０１３０】
前記（７）に記載の発明によれば、延出部は、その基端側に切り欠き溝部を備えているので、さらに、延出部の切り欠き溝部の表面積の分も、頭部の硬化樹脂への接着面積を拡大することができ、その拡大した分、頭部と硬化樹脂との接着力がさらに向上するし、その切り欠き溝部で延出部が破断し易くなっているので、硬化樹脂を不正な細状部材を用いて除去しようとすると、硬化樹脂の不正な除去に伴って係止部材の頭部の延出部が切り欠き溝部で破断して、その除去した硬化樹脂と一緒に延出部が取れてしまうので、この延出部が破断した係止部材を不正に再使用しても、その係止部材の頭部の延出部の破断を見ることで、遊技機用基板収容ケースが開封されたことがわかる。
【０１３１】
（８）  前記（０）から（７）のいずれか一つに記載の遊技機において、
前記第１ケース体または前記第２ケース体は、前記封止手段の存する箇所での当該第１ケース体と第２ケース体との境界面を囲う囲い壁を備えている
ことを特徴とする遊技機。
【０１３２】
前記（８）に記載の発明によれば、第１ケース体または第２ケース体の囲い壁によって、封止手段の存する箇所での当該第１ケース体と第２ケース体との境界面が囲われているので、当該境界面に不正な細状部材の挿入を困難とすることができ、当該境界面に不正な細状部材を挿入して封止手段の存する箇所での第１ケース体と第２ケース体とを引き離すことを困難とすることができる。また、第１ケース体または第２ケース体の囲い壁と、この囲い壁を有しない方の第１ケース体または第２ケース体との境目に不正な細状部材を挿入したとしても、囲い壁を反らす方向に力がかかるだけで、当該境界面を離す方向つまり係止部材が抜ける方向には力がかからないので、囲い壁に沿って無理矢理に不正な細状部材を挿入したとしても、封止手段の封止解除できない。その結果、不正開封を低減できる遊技機用基板収容ケースを用いた遊技機を提供することができる。
【０１３３】
（９）  前記（０）から（７）のいずれか一つに記載の遊技機において、
前記被封止部は、
前記第１ケース体または前記第２ケース体の一方に設けられた突出部と、
前記第１ケース体または前記第２ケース体のその他方に設けられた、前記第１ケース体と前記第２ケース体とを合わせた状態とすることで前記突出部が挿入される収容部と、
を備え、
前記係止穴は、前記突出部にその突出方向と直交する方向に貫通形成された貫通孔と、前記突出部が前記収容部に挿入された状態で前記貫通孔の一方の開口側に当該収容部に連通形成された挿入穴部と、前記貫通孔の他方の開口側に当該収容部に連通形成された挿入貫通孔とで構成されている
ことを特徴とする遊技機。
【０１３４】
前記（９）に記載の発明によれば、第１ケース体または第２ケース体の一方には、突出部が設けられている。第１ケース体または第２ケース体のその他方には、第１ケース体と第２ケース体とを合わせた状態とすることで突出部が挿入される収容部が設けられている。係止穴は、突出部にその突出方向と直交する方向に貫通形成された貫通孔と、突出部が収容部に挿入された状態で貫通孔の一方の開口側に当該収容部に連通形成された挿入穴部と、貫通孔の他方の開口側に当該収容部に連通形成された挿入貫通孔とで構成されている。したがって、封止手段の存する箇所での当該第１ケース体と第２ケース体との境界面が収容部で囲われているので、当該境界面に不正な細状部材の挿入を困難とすることができ、当該境界面に不正な細状部材を挿入して封止手段の存する箇所での第１ケース体と第２ケース体とを引き離すことを困難とすることができる。また、収容部以外での第１ケース体と第２ケース体との境目に不正な細状部材を挿入したとしても、突出部の突出方向に力がかかるだけで、当該境界面を離す方向つまり係止部材が抜ける方向には力がかからないので、収容部以外での第１ケース体と第２ケース体との境目に無理矢理に不正な細状部材を挿入したとしても、封止手段の封止解除できない。その結果、不正開封を低減できる遊技機用基板収容ケースを用いた遊技機を提供することができる。
【０１３５】
（１０）  前記（９）に記載の遊技機において、
前記挿入貫通孔は、前記係止部材の前記挿入係止部よりも径が大きく、
前記突出部の前記貫通孔は、前記挿入貫通孔よりも直径が小さくなっている
ことを特徴とする遊技機。
【０１３６】
前記（１０）に記載の発明によれば、係止穴は、挿入貫通孔と突出部の貫通孔と挿入穴部とで構成されている。また、挿入貫通孔は、係止部材の挿入係止部よりも径が大きく、突出部の貫通孔は、挿入貫通孔よりも直径が小さくなっている。したがって、被封止部の係止穴に係止部材を挿入して係止させた状態にてこの被封止部での係止部材の頭部に充填した硬化前樹脂は、挿入貫通孔と挿入係止部との間にも流入して第１ケース体と第２ケース体と係止部材とに接触した状態で硬化させることができ、硬化樹脂は第１ケース体と第２ケース体と係止部材との３部材とを接着することができ、係止穴の挿入貫通孔にまで入り込んだ硬化樹脂を除去することはさらに困難であり、不正行為を低減できる。
【０１３７】
（１１）  前記（０）から（１０）のいずれか一つに記載の遊技機において、
前記遊技機用基板収容ケースは、前記制御基板が取り付けられた前記第１ケース体でのその制御基板取付面側に前記第２ケース体を合わせた状態で前記第１ケース体または前記第２ケース体の少なくとも一方を当該合わせ面所定方向にスライド移動させることで前記第１ケース体と前記第２ケース体とを係止する係止手段を備え、
前記封止手段は、前記係止手段によって係止状態とされた前記第１ケース体および前記第２ケース体を開封不可に封止する
ことを特徴とする遊技機。
【０１３８】
前記（１１）に記載の発明によれば、遊技機用基板収容ケースの係止手段は、制御基板が取り付けられた第１ケース体でのその制御基板取付面側に第２ケース体を合わせた状態で第１ケース体または第２ケース体の少なくとも一方を当該合わせ面所定方向にスライド移動させることで、第１ケース体と第２ケース体とを係止する。封止手段は、係止手段によって係止状態とされた第１ケース体および第２ケース体を開封不可に封止する。したがって、封止手段によって第１ケース体および第２ケース体が開封不可に封止されているので、遊技機用基板収容ケースが不正に開封されることを低減できる。また、この封止状態では、係止手段によって第１ケース体および第２ケース体がスライド係止されており、第１ケース体および第２ケース体をスライド方向に直交する対向方向に開けることができず、遊技機用基板収容ケースが不正に開封されることを低減できる。
【０１３９】
（１２）  前記（１１）に記載の遊技機において、
前記係止手段は、
前記第１ケース体または前記第２ケース体の一方のケース体での前記スライド方向に平行な両辺箇所にその辺方向に並設された複数個の鉤状突起部と、
前記第１ケース体または前記第２ケース体の他方のケース体での前記スライド方向に平行な両辺箇所にその辺方向に並設された、前記鉤状突起部とは逆向きに形成された複数個の逆鉤状突起部とを備えるとともに、
前記第１ケース体または前記第２ケース体の少なくとも一方を前記スライド移動させることで前記鉤状突起部と前記逆鉤状突起部とが係止する
ことを特徴とする遊技機。
【０１４０】
前記（１２）に記載の発明によれば、遊技機用基板収容ケースの係止手段は、第１ケース体または第２ケース体の一方のケース体でのスライド方向に平行な両辺箇所にその辺方向に並設された複数個の鉤状突起部と、第１ケース体または第２ケース体の他方のケース体でのスライド方向に平行な両辺箇所にその辺方向に並設された、鉤状突起部とは逆向きに形成された複数個の逆鉤状突起部とを備えるとともに、第１ケース体または第２ケース体の少なくとも一方をスライド移動させることで鉤状突起部と逆鉤状突起部とが係止するので、封止手段によって第１ケース体および第２ケース体が開封不可に封止された封止状態では、第１ケース体または第２ケース体の両辺で所定長さに亘って配置された複数個の鉤状突起部および逆鉤状突起部でスライド係止されており、細状の不正具を第１ケース体と第２ケース体との間に挿し入れるなどして第１ケース体と第２ケース体との間に隙間を開けたり、第１ケース体および第２ケース体を開けたりすることを低減でき、遊技機用基板収容ケースが不正に隙間形成や開封されることを低減できる。
【０１４１】
（１３）  前記（１２）に記載の遊技機用基板収容ケースにおいて、
前記封止手段は、前記第１ケース体および前記第２ケース体をそのスライド移動を抑止するように固定するものであり、
さらに、前記封止手段は、前記第１ケース体および前記第２ケース体のスライド移動不可状態を解除するべく破壊される固定解除用被破壊部を備えている
ことを特徴とする遊技機。
【０１４２】
前記（１３）に記載の発明によれば、封止手段は、第１ケース体および第２ケース体を、そのスライド移動を抑止するように固定する。さらに、この封止手段の固定解除用被破壊部が破壊されると、第１ケース体および第２ケース体のスライド移動不可状態が解除される。したがって、固定解除用被破壊部の破壊痕を見ることで、遊技機用基板収容ケースが開封されたことがわかる。
【０１４３】
（１４）  前記（１３）に記載の遊技機用基板収容ケースにおいて、
前記固定解除用被破壊部は、前記第１ケース体または前記第２ケース体の少なくとも一方と前記封止手段とを結ぶ連結部である
ことを特徴とする遊技機。
【０１４４】
前記（１４）に記載の発明によれば、固定解除用被破壊部は、第１ケース体または第２ケース体と封止手段の少なくとも一方とを結ぶ連結部としているので、連結部を破断することで、第１ケース体と第２ケース体との相対的なスライド移動を可能とすることができ、第１ケース体と第２ケース体とを開封できる。なお、封止手段が第１ケース体または第２ケース体の方に残ったままであるため、当該破断痕によって開封があったことがわかる。
【０１４５】
（１５）  前記（０）から（１４）のいずれか一つに記載の遊技機において、
前記遊技機はパチンコ機であることを特徴とする遊技機。
【０１４６】
前記（１５）に記載の遊技機によれば、不正行為を低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１４７】
（１６）  前記（０）から（１４）のいずれか一つに記載の遊技機において、
前記遊技機はスロットマシンであることを特徴とする遊技機。
【０１４８】
前記（１６）に記載の遊技機によれば、不正行為を低減できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【０１４９】
（１７）  前記（０）から（１４）のいずれか一つに記載の遊技機において、
前記遊技機はパチンコ機とスロットマシンとを融合させたものであることを特徴とする遊技機。
【０１５０】
前記（１７）に記載の遊技機によれば、不正行為を低減できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【０１５１】
なお、本明細書に開示する種々の発明に関して、全ての構成要素について種々の組み合わせが可能であり、他の構成要件がなくても単独で発明として成立する点に留意されたい。
【産業上の利用可能性】
【０１５２】
以上のように、この発明は、パチンコ機やスロットマシン等の遊技機に適している。
【符号の説明】
【０１５３】
７１  …ケース上（第１ケース体）
７２  …ケース下（第２ケース体）
７３  …主制御基板（制御基板）
７４  …基板ケース（遊技機用基板収容ケース）
１４０  …封止部材（封止手段）
１５０  …被封止部
１５１  …有底係止穴（係止穴）
１６０  …かしめ部材（係止部材）
１６１  …挿入係止部
１６２  …頭部
１６３  …脆弱部
１６４  …延出部
１７０  …硬化樹脂
２００  …間隙部
【図１】
2020054893.tif 000003
【図２】
2020054893.tif 000004
【図３】
2020054893.tif 000005
【図４】
2020054893.tif 000006
【図５】
2020054893.tif 000007
【図６】
2020054893.tif 000008
【図７】
2020054893.tif 000009
【図８】
2020054893.tif 000010
【図９】
2020054893.tif 000011
【図１０】
2020054893.tif 000012
【図１１】
2020054893.tif 000013
【図１２】
2020054893.tif 000014
【図１３】
2020054893.tif 000015
【図１４】
2020054893.tif 000016
【図１５】
2020054893.tif 000017
【図１６】
2020054893.tif 000018
【図１７】
2020054893.tif 000019
【図１８】
2020054893.tif 000020
【図１９】
2020054893.tif 000021
【図２０】
2020054893.tif 000022
【図２１】
2020054893.tif 000023
【図２２】
2020054893.tif 000024
【図２３】
2020054893.tif 000025
【図２４】
2020054893.tif 000026